(57)【要約】【課題】動画データを含むホームページ等を印刷した場合、動画部分においては、ユーザ所望のタイミングの画像データを有する形式で画像形成することが可能となる。【解決手段】ネットワークに接続され、ネットワーク上に接続されているＷＷＷサーバ上にあるデータを表示及び印刷することが可能な画像形成システムにおいて、前記ＷＷＷサーバ上にあるデータを画像形成装置で印刷を行う際に、一旦画像形成装置の操作部に表示して、印刷を行うことを特徴とする画像形成システム。【選択図】        図１
2007011818.tif 000002
【特許請求の範囲】
【請求項１】
ネットワークに接続され、ネットワーク上に接続されているＷＷＷサーバ上にあるデータを表示及び印刷することが可能な画像形成システムにおいて、前記ＷＷＷサーバ上にあるデータを画像形成装置で印刷を行う際に、一旦画像形成装置の操作部に表示して、印刷を行うことを特徴とする画像形成システム。
【請求項２】
請求項１記載の画像形成システムにおいて、ＷＷＷサーバ上にあるデータは、少なくとも一つの静止画データ、及び、少なくとも一つの動画データから構成されるデータ郡であり、このデータ郡を受信することを特徴とする画像形成システム。
【請求項３】
請求項２記載の画像形成システムにおいて、ＷＷＷサーバ上にあるデータ郡を受信した画像形成システムは、該データ郡を静止画データと動画データに分割することを特徴とする画像形成システム。
【請求項４】
請求項３記載の画像形成システムにおいて、分割された動画データを、予め決められたサンプリングレートにしたがって、少なくとも一つの静止画データを生成することを特徴とする画像形成システム。
【請求項５】
請求項４記載の画像形成システムにおいて、動画データより生成された静止画データを、画像形成装置上の操作部に表示することを特徴とする画像形成システム。
【請求項６】
請求項５記載の画像形成システムにおいて、表示された複数の静止画データの中から、画像形成システムのユーザによって、一つの静止画データが選択されたならば、選択された静止画データと、ＷＷＷサーバから受け取ったデータ郡から分割された静止画とを合成し、画像形成することを特徴とする画像形成システム。
【発明の詳細な説明】
【技術分野】
【０００１】
本発明は、動画データを含むデータを受信して、画像形成を行う画像形成システムに関するものである。
【背景技術】
【０００２】
従来、ＷＷＷ上のサーバに存在する画像データを印刷できる画像形成システムが存在する（例えば、特許文献１）動画データを有するＷＷＷ上のサーバに存在する画像データを印刷しようとした際には、コンピュータ上のプリンタドライバが起動した際には、図４に示すように、画像ビューのところには、実際の画像データが表示されなかったり（４０１）表示されたとしても所望のタイミングの画像データが表示されなかったりしていた（４０３）。
【０００３】
さらには印刷後においては、図５に示すように、動画データに相当する部分が、真黒（５０２）であったり、動画データのファイル名や、印刷できない旨の通告が表示（５０４）されたり、ユーザの所望のタイミングの絵で無い動画の一部のデータ（５０６）が印刷されていた。
【特許文献１】特開平１１−３２７８３４号公報
【発明の開示】
【発明が解決しようとする課題】
【０００４】
しかしながら、動画データを有するホームページ等を印刷したいユーザは、画像形成後のデータの中に、所望のタイミングの画像データが含まれている画像データを印刷したいものであり、従来のような、ユーザが本意としない画像データが含まれたホームページの印刷は求めないものである。
【０００５】
本発明は、以上の点に着目して成されたもので、動画データを含むホームページ等を印刷した場合、動画部分においては、ユーザ所望のタイミングの画像データを有する形式で画像形成することが可能な画像形成システムを提供することを目的とする。
【課題を解決するための手段】
【０００６】
上述した課題を解決するために、本発明では、画像形成システムにおいて、動画データを含むホームページ等の印刷を行う際には、画像形成システム内で、動画データを所定のタイミングでサンプリングし、複数の画像データに分割後、該分割された画像データの中からユーザの所望のデータを選択させ、該選択した画像データと、動画データを抜き出した静止画データとを合成し、画像形成するものである。
【０００７】
なお、さらに説明すれば、本発明の第一の発明について下記のように示す。
【０００８】
（１）ネットワークに接続され、ネットワーク上に接続されているＷＷＷサーバ上にあるデータを表示及び印刷することが可能な画像形成システムにおいて、前記ＷＷＷサーバ上にあるデータを画像形成装置で印刷を行う際に、一旦画像形成装置の操作部に表示して、印刷を行うことを特徴とする画像形成システム。
【発明の効果】
【０００９】
本発明によって、動画データを含むホームページ等を印刷した場合、動画部分においては、ユーザ所望のタイミングの画像データを有する形式で画像形成することが可能となる。
【発明を実施するための最良の形態】
【００１０】
以下本発明を実施するための最良の形態を、実施例により詳しく説明する。
【実施例】
【００１１】
図１は、画像形成装置１０９がネットワーク１０７に接続された絵であり、ネットワーク１０７条には、コンピュータ１０８も接続されている。ここでコンピュータ１０８及び画像形成装置１０９の操作部においては、ネットワーク１０７がルーター１０６及びファイアーウォール１０５を介して、ＷＷＷ１０１に接続されており、ＷＷＷ１０１に接続されている各種コンテンツサーバ１０２，１０３，１０４が発信している図２に示すような各種ホームページ２０１を閲覧することが可能である。
【００１２】
次に画像形成装置について、図７を基に説明をする。
【００１３】
７１０はデジタル複写機本体であり、７１１は原稿用紙等をアナログ電気データに変換するためのＣＣＤ、７１２は前記ＣＣＤによって生成されたアナログ電気信号をデジタル電気信号に変換するＡ／Ｄ変換器、７１３はマスキングやトリミングといったデジタル画像処理を行うＩＰ機能、７１４はデジタル複写機内の画像メモリへ前記デジタル画像データを転送するためのＤＭＡＣ（ＤｉｒｅｃｔＭｍｏｒｙＡｃｃｅｓｓＣｏｎｔｒｏｌｌｅｒ）、７２０は画像データの文字認識を行ったりデジタル複写機内の制御を行うためのＣＰＵ、７２１はイーサネット(登録商標)等のＬＡＮに接続するためのネットワークインターフェース、７２２はデジタル複写機内の制御コントローラの制御バス、７２３は前記デジタルカメラ内に所有する圧縮機能と同等の機能を有する圧縮機能、７２４は前記圧縮機能７２３によって圧縮された画像データを生画像データに伸張するための伸張機能、７２５は生画像データを、所定の変倍率でデジタル変倍することができる解像度変換機能、７２６はハードディスクや、ＳＤＲＡＭといったデジタル画像データを蓄積することが可能なメモリ機能、７２９は文字のベクトルデータ等が格納されているＦｏｎｔＲＯＭ、７２７は本デジタル複写機におけるテンキースイッチや液晶画面を有するユーザーインターフェースをつかさどる操作部、７２８は本デジタル複写機における電気画像データを可視画像に変換するためのプリンタ機能である。
【００１４】
図２に示すホームページにおいては、２０２に示す部分が図３に示す３０１から３０８までの絵が動画として組み込まれている。
【００１５】
よって以下に図２に示す動画の絵を含んだ画像データを画像形成装置１０９のみを使用して印刷する工程を、図６以降に示すフローチャートを基に説明する。
【００１６】
まずｓ６０１において、画像形成装置の操作部より所望のホームページのアドレスを入力する（図１２の１２０１）。
【００１７】
ＵＲＬ入力後、画像形成装置は該ＵＲＬの情報に従って、所定のＷＷＷサーバよりデータ（ＨＴＭＬ＿Ａ）を取得し（ｓ６０２）、ＨＴＭＬ＿Ａ内に“．ＭＰＧ”や“．ＡＶＩ”といった拡張子がついた動画データが含まれているか否かの解析を行う（ｓ６０３）。
【００１８】
動画データが含まれていたならば、画像形成装置は、自機内のメモリ（７２６）に該動画データを保存する（ｓ６０４）。本実施例においては図８に示すような“ａｂｃ．ｍｐｇ”とする。
【００１９】
次に画像形成装置は、取得したＨＴＭＬ＿Ａの動画データがあった部分に、画像形成装置内に予め用意されている画像データ（１２０４）を合成し、ＨＴＭＬ＿Ｂを作成し（ｓ６０５）、画像系装置の操作部上に表示を行う（１２０２、ｓ６０６）。
【００２０】
次に、画像形成装置のＣＰＵ（７２０）は、自機内のメモリに保存されている動画データ“ａｂｃ．ｍｐｇ”を所定のサンプリングレートより、図９に示すような複数の画像データ（９０１〜９０５）を生成し、該生成された画像データを再度自機内のメモリに格納する（ｓ６０７）。
【００２１】
次に、画像形成装置のＣＰＵ（７２０）は、画像形成装置内の縮小回路７２５を使用して、ｓ６０７で生成された複数の画像データから、図１０に示すサムネイル画像（１００６〜１０１０）を生成する（ｓ６０８）。
【００２２】
そして、生成されたサムネイル画像データを画像形成装置の操作部の所定の位置（１２０３）に表示する（ｓ６０９）。
【００２３】
次に、図１３のように表示された画像形成装置の操作部から、ユーザは操作部内に表示されているサムネイル画像の中から所望の画像（１３０１）を選択し（ｓ６１０）、選択されたサムネイル画像を再度縮小回路（７２５）をとおし、ＨＴＭＬ＿Ｂの所定の画像領域に上書きをし、画像形成装置の操作部に表示（１３０２）する。
【００２４】
画像形成装置のＣＰＵは、ＨＴＭＬ＿Ａの所定の場所に、Ｓ６０７で分割された画像データの中から、ｓ６１０でユーザによって選択された画像データに対応する画像データを上書きして、画像系装置のプリンタによって印刷（図１１）を行い、一連の動作を終了する。
【図面の簡単な説明】
【００２５】
【図１】ＷＷＷ及びネットワークに接続されたＰＣ及び画像形成装置の図
【図２】動画データが含まれているホームページを示す図
【図３】ホームページに含まれている動画データを示す図
【図４】従来のプリンタドライバの表示例を示す図
【図５】動画データを含んだ画像データの従来の印刷結果を示す図
【図６】本実施例のフローチャート
【図７】画像形成装置の構成図
【図８】動画データファイルを示す図
【図９】動画データを所定間隔でサンプリングした複数の画像データを示す図
【図１０】複数の画像データから生成されたサムネイル画像を示す図
【図１１】本実施例における印字結果を示す図
【図１２】本実施異例における画像形成装置の操作部の表示例を示す図
【図１３】本実施異例における画像形成装置の操作部の表示例を示す図
【符号の説明】
【００２６】
１０１  ＷＷＷ
１０２，１０３，１０４  コンテンツサーバ
１０５  ファイアーウォール
１０６  ルーター
１０７  ネットワーク
１０８  コンピュータ
１０９  画像形成装置
【図１】
2007011818.tif 000003
【図６】
2007011818.tif 000004
【図７】
2007011818.tif 000005
【図２】
2007011818.tif 000006
【図３】
2007011818.tif 000007
【図４】
2007011818.tif 000008
【図５】
2007011818.tif 000009
【図８】
2007011818.tif 000010
【図９】
2007011818.tif 000011
【図１０】
2007011818.tif 000012
【図１１】
2007011818.tif 000013
【図１２】
2007011818.tif 000014
【図１３】
2007011818.tif 000015